(57)【要約】【課題】  回転体から飛散した水滴が空気流入口へ容易に到達するのを阻止可能な加湿装置を提供する。【解決手段】  貯水タンク１０内に回転体２０の上方、及び側方と対向し、貯水タンク１０の上端と回転体２０との間を仕切る仕切部材１６を設置したことで、ミスト運転により回転体２０が回転駆動したとき、周囲に飛散した微細水滴がモータ載置板１４ｂ、中央遮蔽板１６ａ、上方遮蔽板１６ｂ、及び側方遮蔽板１６ｃにより捕集され、空気流入口１５から貯水タンク１０の上方へ微細水滴が向かうことを阻止できるので、貯水タンク１０内で発生した微細水滴が貯水タンク１０の上端に形成されたタンク側フランジ面１０ａに付着し、汚れが発生することを未然に防止することができる。【選択図】  図６
2020193787.tif 000002
【特許請求の範囲】
【請求項１】
器具本体と、
前記器具本体内に形成された送風経路と、
前記送風経路の下流側にあり水を貯水する貯水タンクと、
前記貯水タンク内に乾燥空気を流入させる空気流入口と、
前記貯水タンク内にあり平面視で一方向に回転することで前記貯水タンクの水を周囲に飛散し水滴を発生させる回転体と、
前記送風経路内の空気を前記空気流入口から前記貯水タンク内へ送り前記回転体で発生した水滴を含む加湿空気を送風口から送風する送風ファンと、を備え、
前記貯水タンク内には、
前記回転体と前記貯水タンクの側壁との間にあり、前記回転体から前記貯水タンクの側方へ向かって飛散した水滴を捕集する側方捕集部と、
前記回転体と前記貯水タンクの上端との間にあり、前記回転体から前記貯水タンクの上方へ向かって飛散した水滴を捕集する上方捕集部と、
で構成された仕切部材を前記空気流入口と前記回転体との間に設置したことを特徴とする加湿装置。
【請求項２】
前記側方捕集部は、前記貯水タンクの水上にある前記回転体の側方全面と対向して前記回転体と前記貯水タンクの側壁との間の所定範囲を閉塞し、且つ、その他の範囲を開口するよう仕切り、
前記上方捕集部は、前記回転体の上方と前記貯水タンクの上端との間、及び前記側方捕集部の前記その他の範囲にある開口の上方と前記貯水タンクの上端との間を仕切るよう、前記仕切部材が設置されたことを特徴とする請求項１記載の加湿装置。
【発明の詳細な説明】
【技術分野】
【０００１】
この発明は、加湿空気を室内へ供給する加湿装置に関するものである。
【背景技術】
【０００２】
従来、この種のものでは、貯水タンク内に設置された回転体により発生した水滴を含む加湿空気を送風ファンが駆動することで送風口から室内へ送風する加湿装置において、貯水タンク上に乾燥空気を流入させる空気流入口が形成されたケースを載置し、貯水タンクの上端に形成されたタンク側フランジ面に当接するよう、ケースの下端に形成されたケース側フランジ面に凸部を形成したので、ケースを貯水タンクの上端に載置したとき、タンク側フランジ面とケース側フランジ面とで形成される間隙の距離を一定に保持することができ、貯水タンク周囲の送風経路から間隙を介して貯水タンク内へ流入する空気量を一定に保持することができるため、タンク側フランジ面とケース側フランジ面とに水滴が付着し水アカやカルキによる汚れが発生することを、前記間隙にパッキンを設置することなく未然に阻止可能としたものがあった。（例えば、特許文献１）
【先行技術文献】
【特許文献】
【０００３】
【特許文献１】特開２０１９−３２１２２号公報
【発明の概要】
【発明が解決しようとする課題】
【０００４】
しかし、この従来のものでは、回転体の周囲に飛散し発生した水滴が空気流入口に到達することを阻止可能な構成は存在しなかったので、回転体の周囲に飛散した水滴が空気流入口付近まで容易に到達してしまい、タンク側フランジ面に水滴が付着して水アカやカルキによる汚れが発生してしまうことから、改善の余地があった。
【０００５】
本発明は、回転体の周囲に飛散した水滴が空気流入口まで容易に到達することを確実に阻止可能な加湿装置を提供することを目的とする。
【課題を解決するための手段】
【０００６】
上記課題を解決するために、本発明の請求項１では、器具本体と、
前記器具本体内に形成された送風経路と、
前記送風経路の下流側にあり水を貯水する貯水タンクと、
前記貯水タンク内に乾燥空気を流入させる空気流入口と、
前記貯水タンク内にあり平面視で一方向に回転することで前記貯水タンクの水を周囲に飛散し水滴を発生させる回転体と、
前記送風経路内の空気を前記空気流入口から前記貯水タンク内へ送り前記回転体で発生した水滴を含む加湿空気を送風口から送風する送風ファンと、を備え、
前記貯水タンク内には、
前記回転体と前記貯水タンクの側壁との間にあり、前記回転体から前記貯水タンクの側方へ向かって飛散した水滴を捕集する側方捕集部と、
前記回転体と前記貯水タンクの上端との間にあり、前記回転体から前記貯水タンクの上方へ向かって飛散した水滴を捕集する上方捕集部と、
で構成された仕切部材を前記空気流入口と前記回転体との間に設置したことを特徴としている。
【０００７】
また、請求項２では、前記側方捕集部は、前記貯水タンクの水上にある前記回転体の側方全面と対向して前記回転体と前記貯水タンクの側壁との間の所定範囲を閉塞し、且つ、その他の範囲を開口するよう仕切り、
前記上方捕集部は、前記回転体の上方と前記貯水タンクの上端との間、及び前記側方捕集部の前記その他の範囲にある開口の上方と前記貯水タンクの上端との間を仕切るよう、前記仕切部材が設置されたことを特徴としている。
【発明の効果】
【０００８】
この発明によれば、回転体と貯水タンクの側壁との間にあり、回転体から貯水タンクの側方へ向かって飛散した水滴を捕集する側方捕集部と、回転体と貯水タンクの上端との間にあり、回転体から貯水タンクの上方へ向かって飛散した水滴を捕集する上方捕集部と、
で構成された仕切部材を空気流入口と回転体との間に設置したので、回転体から飛散した水滴が空気流入口へ向かっても、貯水タンク内にある側方捕集部と上方捕集部とで確実に水滴が捕集されるため、水滴が空気流入口へ容易に到達することを阻止できる。
【０００９】
また、側方捕集部は、貯水タンクの水上にある回転体の側方全面と対向して回転体と貯水タンクの側壁との間の所定範囲を閉塞し、且つ、その他の範囲を開口するよう仕切り、上方捕集部は、側方捕集部と接続し、回転体の上方と貯水タンクの上端との間、及び側方捕集部のその他の範囲にある開口の上方と貯水タンクの上端との間を仕切るよう、仕切部材が設置されたので、水滴が空気流入口へ容易に到達することを阻止できる。
【図面の簡単な説明】
【００１０】
【図１】この発明の一実施形態の外観を説明する斜視図である。
【図２】同実施形態の概略構成図である。
【図３】同実施形態の操作部を説明する図である。
【図４】同実施形態の制御ブロック図である。
【図５】同実施形態の運転開始から終了までの動作を説明するフローチャートである。
【図６】同実施形態の貯水タンク内の構造を説明する斜視図である。
【図７】図６のＡ−A線断面図である。
【図８】同実施形態の貯水タンク内の構造を説明する平面図である。
【図９】同実施形態の仕切部材を説明する斜視図である。
【発明を実施するための形態】
【００１１】
次に、この発明の一実施形態におけるミスト発生装置を図に基づいて説明する。
図１を参照する。１は器具本体、２は器具本体１の正面上部を構成する上面パネル、３は器具本体１の正面下部を構成する下面パネル、４は図示しないブレーカーを隠すブレーカーカバーである。
【００１２】
図２を参照する。１０は器具本体１内の略中段高さ位置にあって所定量の水を貯水する貯水タンクである。この貯水タンク１０の内側には、水面より下に設置されＯＮ状態、ＯＦＦ状態を切り替えることで貯水を加熱する加熱ヒータ１１と、フロートが上下することで水位を検知する水位センサ１２と、鉛直上方向へ延びる上端が気水分離ケース３０の下端と当接し支持可能とするケース支持板１４ａと、支持板１４ａを水平方向へ折り曲げてミストモータ２４を載置するモータ載置板１４ｂとで構成される支持部材１４と、が設置されている。また、貯水タンク１０内の右側上方には乾燥空気が流入可能な空気流入口１５が形成されている。
【００１３】
また、貯水タンク１０の外側には、貯水タンク１０の底面に設置され貯水タンク１０内の貯水温度を検知する貯水温度センサ１３が設置されている。
【００１４】
図２を参照する。２０は貯水タンク１０の水中に下端が水没し駆動軸２１に軸支され中空逆円錐形で上方に向かって円周が徐々に拡大する筒状の回転体であり、回転体２０は、上部外周に所定間隔を離間させて位置し回転体２０と共に回転する円筒状の枠体２２と、該枠体２２の全周壁に多数のスリットや金網やパンチングメタル等から成る衝突体としての多孔部２３が設置されている。
【００１５】
図２を参照する。２４は貯水タンク１０の上方に設置され駆動軸２１と軸支することで回転体２０を回転駆動させるミストモータ２４であり、当該ミストモータ２４が駆動すると回転体２０が回転して貯水タンク１０の内壁から汲み上げられた水が回転体２０の上端に形成された複数の図示しない飛散口から外周方向へ飛散し多孔部２３に衝突することで、水が微細化して粒径がナノメートル（ｎｍ）サイズの微細水滴が多量に生成されると同時に、粒径が比較的大きな大粒水滴が発生する。また、前記回転体２０、前記多孔部２３、及び前記ミストモータ２４で加湿空気発生手段が構成されている。
【００１６】
なお、ミストモータ２４は回転体２０を平面視で時計回り方向にのみ回転駆動させることが可能なモータを使用しており、後述するミスト運転時において、各設定状態に応じ回転体２０を時計回り方向へ回転数を変化させて回動させる。
【００１７】
なお、貯水タンク１０内の水位が下限水位を下回ると、回転体２０で水を汲み上げることが困難な状態になり、ミストと負イオンの発生量が減少して室内に放出される加湿空気量が減少してしまう。
また、貯水タンク１０内の水位が上限水位を上回ると、水の粘性抵抗により回転体２０の回転に対する負荷が増大することから、ミストモータ２４に負荷がかかり製品寿命の低下に繋がる。
以上のことから、貯水タンク１０内の水位を下限水位から上限水位の範囲に収めることで、回転体２０による水の汲み上げ量を確保すると共にミストモータ２４の負荷増大を防止することができる。
【００１８】
図２を参照する。３０は貯水タンク１０の上方に位置して貯水タンク１０と送風口４０とを接続し、貯水タンク１０内で発生したミストを含む加湿空気が通過する気水分離ケース、３１は該気水分離ケース３０の途中に互い違いとなるよう複数配置された板状のバッフル板である。
【００１９】
気水分離ケース３０内を加湿空気が通過すると加湿空気に含まれる粒径の大きな大粒水滴がバッフル板３１に付着し、バッフル板３１に付着した大粒水滴が溜まると気水分離ケース３０の側面を流れ落ちて貯水タンク１０へ滴下する。これにより、送風口４０まで大粒水滴が案内されることがなく、送風口４０付近の結露発生を未然に防止することができる。
【００２０】
また、気水分離ケース３０は、図示しない取手を握って器具本体１の前方向に引き出すことが可能である。これにより、定期的に気水分離ケース３０を器具本体１内から取り出してメンテナンスや清掃等の作業を実施し、作業終了後に元の設置場所へ戻すことで、気水分離ケース３０に起因する製品トラブルを未然に阻止することができる。
【００２１】
図２を参照する。４０は器具本体１上部の前面方向が開口した状態で形成された送風口であり、送風口４０には、上下方向の風向を変更可能な板状のルーバー４１と、室内へ送風される加湿空気の温度を検知する送風温度センサ４２と、が備えられ、気水分離ケース３０を通過したミストを含む加湿空気が送風口４０から室内へ送風されることで室内の加湿と空気清浄とが実施可能となる。
【００２２】
図２を参照する。５０は器具本体１の底面に形成され室内の空気が入り込む吸気口であり、吸気口５０内には、所定の回転数で駆動することで室内の乾燥空気を吸引して器具本体１の上部方向へ送風する送風ファン５１と、吸気口５０へ吸い込まれる乾燥空気の雰囲気温度を検知する吸気温度センサ５２と、器具本体１が設置された室内の相対湿度を検知する湿度センサ５３と、を備えている。
【００２３】
送風ファン５１が所定の回転数で駆動すると、器具本体１の底面に形成された吸気口５０から吸い込んだ乾燥空気が器具本体１の上部方向へ送風され、吸気口５と貯水タンク１０とを接続する送風経路５４を乾燥空気が通過し、貯水タンク１０内へ流入した乾燥空気がミストを含んだ加湿空気となって前記気水分離ケース３０内を上昇し送風口４０から室内へ送風されることで、ミストを含んだ加湿空気を室内に供給することができる。
【００２４】
図２を参照する。６０は貯水タンク１０の側面に一端が接続され貯水タンク１０内に市水を給水する給水管であり、給水管６０の配管途中には、電磁弁を開閉して貯水タンク１０内への給水を制御する給水弁６１と、給水圧を所定値まで減圧する減圧弁６２とが備えられている。
【００２５】
７０は貯水タンク１０の下部に一端が接続され貯水タンク１０内の水を器具本体１外部に排水する排水管であり、排水管７０の配管途中には、電磁弁を開閉して貯水タンク１０内水の排水を制御する排水弁７１が備えられている。
【００２６】
図３を参照する。８０は上面パネル２に設置され複数のスイッチとランプとを備えた操作部であり、操作部８０には、ミスト運転の開始及び停止を指示する運転スイッチ８１と、加熱ヒータ１１のＯＮ／ＯＦＦ状態を切り替えることで貯水タンク１０内の貯水温度を変化させ所定時間あたりに貯水タンク１０から流出する水量である加湿量を変化させる３段階の加湿レベルと、湿度センサ５３で検知された湿度が予め設定された湿度となるよう前記加湿レベルを変化させるオートモードとから選択可能な加湿スイッチ８２と、ミストモータ２４と送風ファン５１との回転数の大小を設定可能な三段階の風量レベルと、湿度センサ５３で設定された湿度が予め設定された湿度となるよう前記風量レベルを変化させるオードモードとから選択可能な風量スイッチ８３と、が備えられている。
【００２７】
図３を参照する。操作部８０の各スイッチ上部には各スイッチに対応したランプが備えられており、運転スイッチ８１が操作されたら点灯する運転ランプ８４と、ミスト運転が所定時間以上継続したら開始する除菌運転時に点灯する除菌ランプ８５と、加湿スイッチ８２で設定された加湿レベルを１から３の数値とオートモードを示すＡで表示する加湿レベルランプ８６と、風量スイッチ８３で設定された風量レベルを１から３の数値とオートモードを示すＡで表示する風量レベルランプ８７と、が備えられている。
【００２８】
図４を参照する。９０は各センサで検知された検知値や操作部８０上に備えられた各スイッチでの設定内容に基づき運転内容や弁の開閉を制御するマイコンで構成された制御部であり、ミストモータ２４を所定の回転数で駆動させるミストモータ制御手段９１と、送風ファン５１を所定の回転数で駆動させる送風ファン制御手段９２と、加熱ヒータ１１のＯＮ／ＯＦＦ状態を切り替えて貯水タンク１０内の水温を制御するＳＳＲ（ソリッドステートリレー）で構成される加熱ヒータ制御手段９３と、が備えられている。
【００２９】
次に、この一実施形態での運転開始から終了までの動作について、図５のフローチャートを参照し説明する。
【００３０】
まず、操作部８０の運転スイッチ８１が操作されたら、制御部９０は、排水弁７１を開弁して貯水タンク１０内の水を排水し、水位センサ１２でＯＦＦ信号が検知されたら給水弁６１を開弁して貯水タンク１０内を水で洗い流すクリーニング動作を行い、所定時間経過したら排水弁７１を閉弁することで給水弁６１から流入する水を貯水タンク１０内に供給し、水位センサ１２でＯＮ信号が検知されたら、所定量の水が貯水タンク１０内に供給されたとして給水弁６１を閉弁する洗浄モードを行う（ステップＳ１０１）。
【００３１】
ステップＳ１０１の洗浄モードが終了したら、制御部９０は、貯水温度センサ１３で検知される貯水温度が室温と同値になるまで加熱ヒータ制御手段９３で加熱ヒータ１１をＯＮ状態にして、ミストモータ２４及び送風ファン５１が所定の回転数となるようミストモータ制御手段９１及び送風ファン制御手段９２で制御する立ち上げ動作を実行する立ち上げモードを行う（ステップＳ１０２）。
【００３２】
ステップＳ１０２の立ち上げモードが終了したら、制御部９０は、加湿スイッチ８２及び風量スイッチ８３で設定された加湿レベルと風量レベルとに基づいて、ミストモータ２４と送風ファン５１とが所定の回転数で駆動するようミストモータ制御手段９１と送風ファン制御手段９２とで回転数を制御し、加熱ヒータ１１のＯＮ／ＯＦＦ状態を加熱ヒータ制御手段９３で切り替えて制御して、加湿レベルと風量レベルとに合わせた所定の温度範囲内にするミスト運転を実行する通常運転モードを行う（ステップＳ１０３）。
【００３３】
前記ミスト運転が実施されると、回転体２０で汲み上げられ多孔部２３に衝突することで発生した微細水滴が回転体２０の回転方向に飛散する。飛散した水滴は、回転体２０の回転方向、及び空気流入口１５を通過した乾燥空気の風向の影響を受けるため、気水分離ケース３０が設置された貯水タンク１０の下流側に向けて意義的に流れることはなく、多様な方向へ移動する。
【００３４】
また、制御部９０は、前記ミスト運転中に貯水タンク１０の水位が下限水位以下となって水位センサ１２がＯＦＦ信号を出力したと判断したら、給水弁６１を開弁して貯水タンク１０内への給水を開始し、貯水タンク１０の水位が上限水位に達して水位センサ１２がＯＮ信号を出力したと判断したら、給水弁６１を閉弁して貯水タンク１０内への給水を停止することで、常時ミスト運転が実施可能な水位を保持することができる。
【００３５】
また、制御部９０は、水入れ替え動作の実施タイミングに達したと判断したら、ミストモータ２４と送風ファン５１とを停止させ排水弁７１を開放して貯水タンク１０内の水を排水し、水位センサ１２が下限水位を検知する所定の排水時間が経過するまでに水位センサ１２が下限水位を検知していれば排水弁７１を閉止すると共に給水弁６１を開放して貯水タンク１０内への給水を開始し、水位センサ１２で上限水位が検知するか所定の給水時間が経過したら給水弁６１を閉止する動作を所定回数だけ繰り返し、所定のタイミングでミストモータ２４と送風ファン５１とを駆動させる水入れ替え動作を実施することで、貯水タンク１０内を清浄にしてスケールの析出が発生するのを防止する。
【００３６】
また、前記水入れ替え動作時において水位センサ１２が下限水位を検知する所定の排水時間内に水位センサ１２が下限水位を検知しなかった場合、制御部９０は、エラーと判断してミストモータ２４と送風ファン５１との駆動を停止させ運転ランプ８４を点滅させることでエラーを報知すると共に、運転スイッチ８１を操作することでのミスト運転の実施を禁止するエラー状態に切り替わる。そして、作業者によるメンテナンスが実施された後に制御部９０にある図示しない特定のスイッチが操作される等の所定のエラー解除動作が実行されたと制御部９０が判断したら、エラー状態を解除して運転スイッチ８１を操作することでミスト運転の実施が可能な状態に切り替わる。
【００３７】
ステップＳ１０３の通常運転モードが開始されてから経過した時間が１６時間となったか、または通常運転モード中に運転スイッチ８１が操作されミスト運転終了の指示があったと判断したら、制御部９０は、ミストモータ２４を停止させてから排水弁７１を開弁して貯水タンク１０内の水を排水し、所定時間経過したら給水弁６１を開弁して貯水タンク１０内を洗浄してから排水弁７１を閉弁して貯水タンク１０内に所定量だけ貯水する洗浄運転を行い、その後、加熱ヒータ１１をＯＮ状態にして水を６５℃前後に加熱し除菌を行う除菌運転を１０分間実施し、１０分経過後に貯水タンク１０内を冷却する冷却運転を実行し、貯水温度が６０℃未満になったら排水弁７１を開弁して排水するクリーニングモードを行う（ステップＳ１０４）。
【００３８】
ステップＳ１０４のクリーニングモードが終了したら、制御部９０は、乾燥モード（ステップＳ１０５）に移行し、送風ファン５１が所定の回転数（例えば、８００ｒｐｍ）で駆動するよう送風ファン制御手段９２で制御し、所定時間（例えば３時間）だけ送風ファン５１を駆動させ続ける乾燥運転を実施して、３時間経過したと判断したら、送風ファン５１を停止させて運転を終了する。
【００３９】
次に、貯水タンク１０内の空気流入口１５から回転体２０までの風路構造について詳述する。
【００４０】
図６を参照する。１６は貯水タンク１０内に設置された仕切部材である。仕切部材１６は、貯水タンク１０の略中央に位置しモータ載置板１４ｂの下方に取り付けられた中央遮蔽板１６ａと、当該中央遮蔽板１６ａと同一平面で右側前方に位置する上方遮蔽板１６ｂと、回転体２０の側方に位置し中央遮蔽板１６ａの右端から鉛直下方へ延びる側方遮蔽板１６ｃと、で構成されている。
そして、中央遮蔽板１６ａ、及び上方遮蔽板１６ｂで上方捕集部、側方遮蔽板１６ｃで側方捕集部が構成されている。
【００４１】
図７、８を参照する。モータ載置板１４ｂは、前後方向の端面が貯水タンク１０の側壁と近接するように設置されている。
また、中央遮蔽板１６ａは、モータ載置板１４ｂの右方と貯水タンク１０の右側壁との間において、前後方向の端面が貯水タンク１０の側壁と近接するように設置されている。
また、上方遮蔽板１６ｂは、中央遮蔽板１６ａの右端縁と貯水タンク１０の側壁とにある図示しない係止部に引っかかるよう設置され、前及び右方向の端面が貯水タンク１０の側壁と近接し、後端が平面視した回転体２０の略中心に位置している。
また、側方遮蔽板１６ｃは、中央遮蔽板１６ａと一体の部材を鉛直下方へ折り曲げると共に前端側の上端から下端にかけて前側下方へ傾斜するよう形成され、後端面が貯水タンク１０の側壁と近接し、下端面が貯水タンク１０の水面より下となり、前端面が平面視した回転体２０の中心より前方に位置するよう設置されている。
【００４２】
よって、仕切部材１６により貯水タンク１０内は、回転体２０が配置された下部と、回転体２０より上方の上部とに仕切られるので、回転体２０の周囲に飛散した微細水滴が貯水タンク１０外へ漏れ出すのを阻止できる。
【００４３】
また、仕切部材１６により回転体２０から飛散した微細水滴がミストモータ２４に到達するのを阻止できるので、ミストモータ２４内に水滴が入り込むことによる不具合の発生を防止することができる。
【００４４】
図６、７、８を参照する。中央遮蔽板１６ａの右方かつ上方遮蔽板の後方と貯水タンク１０の側壁との間には空気流入口１５が形成され、側方遮蔽板１６ｃの前方と貯水タンク１０の側壁との間には開口１７が形成されている。
【００４５】
よって、送風経路５４を通過した乾燥空気は、貯水タンク１０の上方から下方へ向かって空気流入口１５を通過し、前方向へ向かった後に左方向へ向かうことで開口１７を通過するので、貯水タンク１０の上方から回転体２０が配置された貯水タンク１０の下部に乾燥空気が達するまで、複数回風路が屈曲することで、回転体２０の側方へ飛散した微細水滴が空気流入口１５へ容易に到達せず、貯水タンク１０の上端にあるタンク側フランジ面１０ａが汚れることを阻止できる。
【００４６】
図８を参照する。回転体２０は平面視で時計回り方向にのみ回転駆動するので、回転体２０で汲み上げられた水は多孔部２３に衝突した後、回転体２０の回転方向に向けて周囲に飛散する。
よって、回転体２０から飛散し貯水タンク１０の上方へ向かう水滴は、モータ載置板１４ｂ及び中央遮蔽板１６ａに衝突して下方へ落下し、貯水タンク１０の水中に戻される。
また、回転体２０から飛散し貯水タンク１０の右方へ向かう水滴は、側方遮蔽板１６ｃに衝突したものは下方へ落下し、貯水タンク１０の水中に戻される。
また、開口１７を通過した水滴は、側方遮蔽板１６ｃの前端より前方に位置にする貯水タンク１０の側壁に衝突し、開口１７の上方へ飛散した水滴は、上方遮蔽板１６ｂに衝突し貯水タンク１０内へ戻される。
【００４７】
このように、支持部材１４及び仕切部材１６で仕切られた貯水タンク１０の下部に回転体１０が設置されることで、回転体１０が回転駆動したとき、回転体２０の上方へ飛散した水滴はモータ載置板１４ｂ、中央遮蔽板１６ａ、及び上方遮蔽板１６ｂにより捕集され、回転体２０の右側方へ飛散した水滴は側方遮蔽板１６ｃで捕集されるため、回転体２０から飛散した水滴が空気流入口１５から貯水タンク１０の上端方向へ向かうことなく、貯水タンク１０の水中に戻すことができ、タンク側フランジ面１０ａに水滴が付着するのを防止できる。
【００４８】
図７、９を参照する。回転体２０が回転することで周囲に飛散し側方遮蔽板１６ｃに付着した水滴は、回転体２０の回転で発生する風向と重力の影響で、前側下方へ流れて落ちる。よって、側方遮蔽板１６ｃの前端と下端とで成す所定角度αが鋭角で設定されることで、前端に達した水滴をスムーズに貯水タンク１０下部の水面へ案内することができる。
しかし、αの値が小さくなると、側方遮蔽板１６ｃの前側上端位置が後方に移動することに伴い、上方遮蔽板１６ｂで覆う面積が増加することから、空気流入口１５の開口面積が減少することで貯水タンク１０内を通過する空気量が減り、送風口４０から吹き出る加湿空気量が減少してしまう。
よって、所定角度αは、側方遮蔽板１６ｃに付着した水滴をスムーズに貯水タンク１０下部の水面へ案内しつつ、送風口４０から必要となる加湿空気量が確保可能となる値（例えば、α＝８０°）に設定する。
【００４９】
図８、９を参照する。仕切部材１６は、中央遮蔽板１６ａと側方遮蔽板１６ｃとが一体に形成され、上方遮蔽板１６ｂは中央遮蔽板１６ａ及び側方遮蔽板１６ｃと別体に形成されている。
また、中央遮蔽板１６ａは、モータ載置板１４ｂの下方の前端及び後端にあり左右方向に延びる図示しないレールに中央遮蔽板１６ａの前端面１６ａ１及び後端面１６ａ２が嵌まり込むことで支持されている。
また、中央遮蔽板１６ａは、前端、及び後端が回転体２０と一体で回転する多孔部２３の外周よりも外側に位置し、左端が回転体２０の中心より左方に位置するよう、モータ載置板１４ｂの下方に設置されている。
【００５０】
よって、貯水タンク１０内から仕切部材１６を取り出す時、上方遮蔽板１６ｂを取り外した後に中央遮蔽板１６ａをモータ載置板１４ｂの図示しないレールに沿って右方へ引き出すことで、中央遮蔽板１６ａ及び側方遮蔽板１６ｃを貯水タンク１０内から簡易に引き出すことができる。
また、モータ載置板１４ｂと回転体２０との間の大部分が中央遮蔽板１６ａに覆われていることで、回転体２０の上方へ飛散する水滴が中央遮蔽板１６ａに多く付着するので、貯水タンク１０内から簡易に取り外せないモータ載置板１４ｂに付着する水滴量を最小限にすることができ、中央遮蔽板１６ａを貯水タンク１０内から定期的に取り出し清掃、あるいは部品交換を実施することで、貯水タンク１０内に多量のカルキ汚れが残存し続けることを防止できる。
【００５１】
次に、本実施形態の効果を説明する。
【００５２】
貯水タンク１０内に回転体２０の上方、及び側方と対向し、空気流入口１５と回転体２０との間を仕切る仕切部材１６を設置したことで、ミスト運転により回転体２０が回転駆動したとき、周囲に飛散した微細水滴がモータ載置板１４ｂ、中央遮蔽板１６ａ、上方遮蔽板１６ｂ、及び側方遮蔽板１６ｃにより捕集されるので、回転体２０の周囲に飛散した水滴が空気流入口１５へ容易に到達せず、水滴が貯水タンク１０の上端に形成されたタンク側フランジ面１０ａに付着し、汚れが発生することを未然に防止することができる。
【００５３】
また、側方遮蔽板１６ｃと貯水タンク１０の側壁との間に形成された開口１７は、回転体２０の回転により水滴が飛散する方向と開口１７を通過する乾燥空気の流れ方向とが相反しない箇所に形成されたので、ミスト運転時に乾燥空気が貯水タンク１０内へ流れ込むことを阻害することがなく、更に、回転体２０の周囲に飛散した微細水滴が空気流入口１５側に向かうことを阻止できる。
【００５４】
なお、本実施形態では、仕切部材１６を構成する中央遮蔽板１６ａと側方遮蔽板１６ｃとが一体の部材で構成され、モータ載置板１４ｂ、及び上方遮蔽板１６ｂが別体の部材で構成されているが、これに限らず、モータ載置板１４ｂと中央遮蔽板１６ａとが一体の部材であることや、中央遮蔽板１６ａと側方遮蔽板１６ｃが別体の部材で構成されていてもよく、回転体２０の周囲に飛散し空気流入口１５へ向かう水滴が捕集可能な構成であればよいものである。
【００５５】
また、本実施形態では、貯水タンク１０内の水を汲み上げて周囲に飛散させ、回転体２０と一体の多孔部２３に衝突させることで微細水滴を発生させるもので説明したが、これに限らず、回転体２０の周囲を囲うように壁面を設置し、回転体２０で汲み上げた水を壁面方向へ飛散させ壁面に衝突させることで水滴を発生させる、という方式であっても本実施形態で説明した仕切部材１６による効果が得られるため、回転体２０を回転させることで水滴を発生させるものであれば、本発明の範疇に入るものである。
【符号の説明】
【００５６】
１      器具本体
１０      貯水タンク
１５      空気流入口
１６      仕切部材
１６ａ    中央遮蔽板（上方捕集部）
１６ｂ    上方遮蔽板（上方捕集部）
１６ｃ    側方遮蔽板（側方捕集部）
１７      開口
２０      回転体
４０      送風口
５１      送風ファン
５４      送風経路
【図１】
2020193787.tif 000003
【図２】
2020193787.tif 000004
【図３】
2020193787.tif 000005
【図４】
2020193787.tif 000006
【図５】
2020193787.tif 000007
【図６】
2020193787.tif 000008
【図７】
2020193787.tif 000009
【図８】
2020193787.tif 000010
【図９】
2020193787.tif 000011